(57)【要約】【課題】多数の同一商品を陳列する際に商品情報表示部が無意味に使用される不具合を解消すること。【解決手段】商品吊具１は、価格等商品情報を表示する商品情報表示部と、この商品情報表示部から少なくとも下方に伸び、上下方向に複数の商品係止部（クリップ部３１）が形成された縦長な商品吊下部とから構成される商品吊具において、商品情報表示部及び前記商品吊下部をそれぞれ互いに分離された商品情報表示部材２及び商品吊下部材３で構成し、商品情報表示部材２に着脱自在に商品吊下部材３を連結するよう構成される。【選択図】図２
2004147850.tif 000002
【特許請求の範囲】
【請求項１】
価格等商品情報を表示する商品情報表示部と、この商品情報表示部から少なくとも下方に伸び、上下方向に複数の商品係止部が形成された縦長な商品吊下部とから構成される商品吊具において、
前記商品情報表示部及び前記商品吊下部をそれぞれ互いに分離された商品情報表示部材及び商品吊下部材で構成し、前記商品情報表示部材に着脱自在に前記商品吊下部材を連結することを特徴とする商品吊具。
【請求項２】
前記商品情報表示部材の背面側下部に下側連結部を設けるとともに前記商品吊下部材の上端部に前記商品情報表示部材の前記下側連結部と係合可能な上側連結部を設け、また、前記商品情報表示部材の背面側上部に上側連結部を設けるとともに前記商品吊下部材の下端部に前記商品情報表示部材の前記上側連結部と係合可能な下側連結部を設けることを特徴とする請求項１記載の商品吊具。
【請求項３】
前記商品情報表示部材の背面側に係止部を設け、該係止部は、当該商品吊具の保持具としてのネットの横バー、棚板レールの側面視コ字状凹部又は立板の上端のいずれに対しても前記商品情報表示部材を着脱自在に取着し得るよう構成されることを特徴とする請求項１又は２記載の商品吊具。
【請求項４】
前記係止部は、上下方向に間隔を置いて後方へ伸びる一対の係止片を備え、
上側係止片は、前記商品情報表示部材の本体部から後方へほぼ水平に突出し上下方向への弾性変形が可能な水平部と、この水平部の先端部から上方へ伸びた係止爪部と、前記水平部の先端部から下方へほぼ垂直に伸び前後方向への弾性変形が可能な垂直部とを備え、前記本体部の背面と前記水平部の下面と前記垂直部の前面とにより下向き凹部が形成され、
また、下側係止片は、下方へ伸びる係止爪部を備えており、
前記下向き凹部に前記ネットの前記横バーが収容されることにより、前記商品情報表示部材が該横バーに取着され、
前記上側係止片の前記係止爪部と前記棚板レールの前記側面視コ字状凹部の上端部とが係合するとともに前記側面視コ字状凹部の下端部と前記下側係止片の前記係止爪部とが係合することにより、前記商品情報表示部材が前記棚板レールに取着され、
前記上側係止片の前記係止爪部と前記下側係止片の前記係止爪部とで前記立板を挟持することにより、前記商品情報表示部材が前記立板の上端に取着される
ことを特徴とする請求項３記載の商品吊具。
【発明の詳細な説明】
【０００１】
【発明の属する技術分野】
本発明は、商品吊具、詳しくは、価格等商品情報を表示する商品情報表示部と、この商品情報表示部から下方に伸び、上下方向に複数の商品係止部が形成された縦長な商品吊下部とから構成される商品吊具に関する。
【０００２】
【従来の技術】
一般に、この種の商品吊具は、商品情報表示部と商品吊下部とが一体成形されている（例えば、実用新案登録文献１参照）。
【０００３】
【実用新案登録文献１】
実用新案登録第３０７４６６８号（図２）
【０００４】
【発明が解決しようとする課題】
しかしながら、この種の商品吊具をネットの横バーなど商品吊具の保持具に取着して使用する際、商品情報表示部と商品吊下部とが一体化されているため、多数の同一商品を陳列するために１つの商品情報表示部の下方に複数の商品吊下部を互いに連結させ縦に長い商品吊下部をつくりだすことができず、多数の同一商品を陳列するためには複数の商品吊具を上下方向に連結しなければならず、上下方向の中間に位置する商品情報表示部が無意味に使用されることになるという問題がある。
【０００５】
本発明は、上記のような従来技術の問題点を解決し、多数の同一商品を陳列する際に商品情報表示部が無意味に使用される不具合を解消することができる商品吊具を提供することを主な目的とする。
【０００６】
【課題を解決するための手段】
請求項１に係る商品吊具は、価格等商品情報を表示する商品情報表示部と、この商品情報表示部から少なくとも下方に伸び、上下方向に複数の商品係止部が形成された縦長な商品吊下部とから構成される商品吊具において、前記商品情報表示部及び前記商品吊下部をそれぞれ互いに分離された商品情報表示部材及び商品吊下部材で構成し、前記商品情報表示部材に着脱自在に前記商品吊下部材を連結することを特徴とする。
【０００７】
請求項１に係る商品吊具によると、商品情報表示部と商品吊下部とを分離させたため、多数の同一商品を陳列したい場合に、１つの商品情報表示部材の下方に複数の商品吊下部材を互いに上下方向に連結させて使用することが可能になり、商品情報表示部の無意味な使用を回避することができる。
【０００８】
請求項２に係る商品吊具は、請求項１において、前記商品情報表示部材の背面側下部に下側連結部を設けるとともに前記商品吊下部材の上端部に前記商品情報表示部材の前記下側連結部と係合可能な上側連結部を設け、また、前記商品情報表示部材の背面側上部に上側連結部を設けるとともに前記商品吊下部材の下端部に前記商品情報表示部材の前記上側連結部と係合可能な下側連結部を設けることを特徴とする。
【０００９】
請求項２に係る商品吊具によると、商品情報表示部材の背面側上部に商品吊下部材の下側連結部と係合可能な上側連結部を設けたため、商品情報表示部材の上方にも商品吊下部材を連結させ商品を陳列することが可能になる。
【００１０】
請求項３に係る商品吊具は、請求項１又は２において、前記商品情報表示部材の背面側に係止部を設け、該係止部は、当該商品吊具の保持具としてのネットの横バー、棚板レールの側面視コ字状凹部又は立板の上端のいずれに対しても前記商品情報表示部材を着脱自在に取着し得るよう構成されることを特徴とする。
【００１１】
請求項３に係る商品吊具によると、商品吊具の保持具としてのネットの横バー、棚板レールの側面視コ字状凹部又は立板の上端のいずれに対しても商品情報表示部材を着脱自在に取着し得るよう構成したため、商品吊具を複数の保持具に取着して使用することができるようになる。
【００１２】
請求項４に係る商品吊具は、請求項３において、前記係止部は、上下方向に間隔を置いて後方へ伸びる一対の係止片を備え、上側係止片は、前記商品情報表示部材の本体部から後方へほぼ水平に突出し上下方向への弾性変形が可能な水平部と、この水平部の先端部から上方へ伸びた係止爪部と、前記水平部の先端部から下方へほぼ垂直に伸び前後方向への弾性変形が可能な垂直部とを備え、前記本体部の背面と前記水平部の下面と前記垂直部の前面とにより下向き凹部が形成され、また、下側係止片は、下方へ伸びる係止爪部を備えており、前記下向き凹部に前記ネットの前記横バーが収容されることにより、前記商品情報表示部材が該横バーに取着され、前記上側係止片の前記係止爪部と前記棚板レールの前記側面視コ字状凹部の上端部とが係合するとともに前記側面視コ字状凹部の下端部と前記下側係止片の前記係止爪部とが係合することにより、前記商品情報表示部材が前記棚板レールに取着され、前記上側係止片の前記係止爪部と前記下側係止片の前記係止爪部とで前記立板を挟持することにより、前記商品情報表示部材が前記立板の上端に取着されることを特徴とする。
【００１３】
請求項４に係る商品吊具によると、一対の係止片からなる簡素な構成によって、商品吊具の保持具としてのネットの横バー、棚板レールの側面視コ字状凹部又は立板の上端のいずれに対しても商品情報表示部材を着脱自在に取着し得るようになる。
【００１４】
【発明の実施の形態】
以下、本発明の実施形態を図面に基づいて説明する。
【００１５】
図１は、本発明の一実施形態に係る商品吊具の一使用態様図、図２は、同商品吊具の分解斜視図、図３は、同商品吊具の商品情報表示部材の本体部の正面図、図４は、同本体部の背面図、図５は、同本体部の平面図、図６は、図３図示ＶＩ−ＶＩ断面図、図７は、図３図示ＶＩＩ−ＶＩＩ断面図、図８は、同本体部のネットへの取付図、図９は、同本体部の棚板レールへの取付図、図１０は、同本体部の立板への取付図をそれぞれ示す。
【００１６】
図１〜図１０において、商品吊具１は、図２に示すように、価格、バーコード等商品情報を表示する商品情報表示部材２と、この商品情報表示部材２の下部に着脱自在に装着される商品吊下部材３とからなり、この商品吊具１は、例えば図１に示すように、複数本の縦バー１０１と複数本の横バー１０２を互いに直交させて構成されたネット１００の横バー１０２に商品情報表示部材２を取着し、商品の包装袋２００に形成された孔２０１を、商品吊下部材３の商品係止部（クリップ部）３１の上部の上向きフック部３２に通すことによって商品を吊下げたり、上記包装袋２００の孔２０１を利用して包装袋２００の上端部をクリップ部３１の下部の弾性爪部３３によって保持することによって商品を吊下げて使用される。
【００１７】
商品情報表示部材２は、図２に示すように、プラスチック製で一体成形された商品情報表示部材本体部１１と、この商品情報表示部材本体部１１の前面に着脱自在に取着されるカードホルダー１２とからなる。
【００１８】
カードホルダー１２は、プラスチック製のホルダー本体部１３とこのホルダー本体部１３の前面に接着された透明なプラスチック製のカード収容部１４とからなる。ホルダー本体部１３の背面側に伸びた水平板部１３ａには、上下方向に貫通した係止穴１３ｂが形成されており、この水平板部１３ａを商品情報表示部材本体部１１の窓１５から進入させ、係止穴１３ｂを商品情報表示部材本体部１１の下向きに形成された２つの弾性リブ１６に位置合わせし、係止穴１３ｂの周縁部によって弾性リブ１６を縮径方向に弾性変形させることによって係止穴１３ｂ内に弾性リブ１６を進入させ、その後弾性リブ１６が弾性復帰することによって弾性リブ１６が係止穴１３ｂに係留し、これにより、カードホルダー１２が商品情報表示部材本体部１１に装着される。カード収容部１４は、価格、バーコードなど商品情報が記載された商品カード（図示せず）を収容する。
【００１９】
商品情報表示部材本体部１１の背面側には、図２に示すように、商品吊下部材３が着脱自在に連結される。つまり、商品情報表示部材本体部１１の背面側下部には、図４、図６などに示すように、商品吊下部材３の上側連結部３４（例えば円柱状穴、図２）と係合可能な下側連結部１７（例えば円柱状突起）が設けられており、円柱状穴３４に円柱状突起１７を押し込むことによって商品情報表示部材本体部１１の下側に商品吊下部材３を連結することができ、また、商品情報表示部材本体部１１の背面側上部には、図４、図６などに示すように、商品吊下部材３の下側連結部３５（例えば円柱状突起、図２）と係合可能な上側連結部１８（例えば円柱状穴）が設けられており、円柱状穴１８に円柱状突起３５を押し込むことによって商品情報表示部材本体部１１の上側に商品吊下部材３を連結することができる。
【００２０】
さらに、商品情報表示部本体部１１の背面側には、商品吊具１の保持具としてのネット１００の横バー１０２（図１、図８）、棚板レール３００の側面視コ字状凹部３０１（図９）又は立板４００（図１０）の上端４０１のいずれに対しても商品情報表示部材本体部１１を着脱自在に取着し得るよう構成される係止部２０が設けられている。
【００２１】
係止部２０は、図４、図７などに示すように、上下方向に間隔を置いて後方へ伸びる一対の係止片２１を左右に２組備えて構成される。一対の係止片２１の上側係止片２２は、商品情報表示部材本体部１１から後方へほぼ水平に突出し上下方向への弾性変形が可能な水平部２３と、この水平部２３の先端部から上方へ伸びた係止爪部２４と、水平部２３の先端部から下方へほぼ垂直に伸び前後方向への弾性変形が可能な垂直部２５とを備える。商品情報表示部材本体部１１の背面と水平部２３の下面と垂直部２５の前面は、下向き凹部２６を形成しており、図８に示すように、この下向き凹部２６にネット１００の横バー１０２が収容されることにより、商品情報表示部材本体部１１が横バー１０２に取着される。また、一対の係止片２１の下側係止片２７は、下方へ伸びる係止爪部２８を備えており、図９に示すように、上側係止片２２の係止爪部２４と棚板レール３００の側面視コ字状凹部３０１の上端部３０１ａとが係合するとともに側面視コ字状凹部３０１の下端部３０１ｂと下側係止片２７の係止爪部２８とが係合することにより、商品情報表示部材本体部１１が棚板レール３００に取着される。また、図１０に示すように、上側係止片２２の係止爪部２４と下側係止片２７の係止爪部２８とで立板４００を挟持することにより、商品情報表示部材本体部１１が立板４００の上端４０１に取着される。
【００２２】
以上説明したように、本実施形態に係る商品吊具１は、価格等商品情報を表示する商品情報表示部と、この商品情報表示部から少なくとも下方に伸び、上下方向に複数の商品係止部（クリップ部３１）が形成された縦長な商品吊下部とから構成される商品吊具において、商品情報表示部及び前記商品吊下部をそれぞれ互いに分離された商品情報表示部材２及び商品吊下部材３で構成し、商品情報表示部材２に着脱自在に商品吊下部材３を連結するよう構成される。このように商品情報表示部と商品吊下部とを分離させたため、多数の同一商品を陳列したい場合に、１つの商品情報表示部材２の下方に複数の商品吊下部材３を互いに上下方向に連結させて使用することが可能になり、商品情報表示部の無意味な使用を回避することができる。
【００２３】
また、本実施形態に係る商品吊具１は、商品情報表示部材２の背面側下部に下側連結部１７を設けるとともに商品吊下部材３の上端部に商品情報表示部材２の下側連結部１７と係合可能な上側連結部３４を設け、また、商品情報表示部材２の背面側上部に上側連結部１８を設けるとともに商品吊下部材３の下端部に商品情報表示部材２の上側連結部１８と係合可能な下側連結部３５を設けたため、商品情報表示部材２の上方にも商品吊下部材３を連結させ商品を陳列することが可能になる。
【００２４】
また、本実施形態に係る商品吊具１は、商品情報表示部材２の背面側に係止部２０を設け、係止部２０は、商品吊具１の保持具としてのネット１００の横バー１０２、棚板レール３００の側面視コ字状凹部３０１又は立板４００の上端４０１のいずれに対しても商品情報表示部材２を着脱自在に取着し得るよう構成したため、商品吊具１を複数の保持具１００，３００，４００に取着して使用することができるようになる。
【００２５】
ここで、係止部２０は、上下方向に間隔を置いて後方へ伸びる一対の係止片２１を備え、上側係止片２２は、商品情報表示部材２の本体部１１から後方へほぼ水平に突出し上下方向への弾性変形が可能な水平部２３と、この水平部２３の先端部から上方へ伸びた係止爪部２４と、水平部２３の先端部から下方へほぼ垂直に伸び前後方向への弾性変形が可能な垂直部２５とを備え、本体部１１の背面と水平部２３の下面と垂直部２５の前面とにより下向き凹部２６が形成され、また、下側係止片２７は、下方へ伸びる係止爪部２８を備えており、下向き凹部２６にネット１００の横バー１０２が収容されることにより、商品情報表示部材２が横バー１０２に取着され、上側係止片２２の係止爪部２４と棚板レール３００の側面視コ字状凹部３０１の上端部３０１ａとが係合するとともに側面視コ字状凹部３０１の下端部３０１ｂと下側係止片２７の係止爪部２８とが係合することにより、商品情報表示部材２が棚板レール３００に取着され、上側係止片２２の係止爪部２４と下側係止片２７の係止爪部２８とで立板４００を挟持することにより、商品情報表示部材２が立板４００の上端４０１に取着される。このため、一対の係止片２１からなる簡素な構成によって、商品吊具１の保持具としてのネット１００の横バー１０２、棚板レール３００の側面視コ字状凹部３０１又は立板４００のいずれに対しても商品情報表示部材２を着脱自在に取着し得るようになる。
【００２６】
【発明の効果】
本発明の商品吊具によると、多数の同一商品を陳列する際に商品情報表示部が無意味に使用される不具合を解消することができる。
【図面の簡単な説明】
【図１】本発明の一実施形態に係る商品吊具の一使用態様図である。
【図２】同商品吊具の分解斜視図である。
【図３】同商品吊具の商品情報表示部材の本体部の正面図である。
【図４】同本体部の背面図である。
【図５】同本体部の平面図である。
【図６】図３図示ＶＩ−ＶＩ断面図である。
【図７】図３図示ＶＩＩ−ＶＩＩ断面図である。
【図８】同本体部のネットへの取付図である。
【図９】同本体部の棚板レールへの取付図である。
【図１０】同本体部の立板への取付図である。
【符号の説明】
１    商品吊具
２    商品情報表示部材
１１    本体部
１７    下側連結部
１８    上側連結部
２０    係止部
２１    一対の係止片
２２    上側係止片
２３    水平部
２４    係止爪部
２５    垂直部
２６    下向き凹部
２７    下側係止片
２８    係止爪部
３    商品吊下部材
３１    クリップ部（商品係止部）
３４    上側連結部
３５    下側連結部
１００    ネット
１０２    横バー
３００    棚板レール
３０１    側面視コ字状凹部
３０１ａ    上端部
３０１ｂ    下端部
４００    立板
４０１    上端
【図１】
2004147850.tif 000003
【図２】
2004147850.tif 000004
【図３】
2004147850.tif 000005
【図４】
2004147850.tif 000006
【図５】
2004147850.tif 000007
【図６】
2004147850.tif 000008
【図７】
2004147850.tif 000009
【図８】
2004147850.tif 000010
【図９】
2004147850.tif 000011
【図１０】
2004147850.tif 000012